(57)【要約】【課題】バンドがワイヤーハーネス径に適合しない場合でも、またワイヤーハーネスを強く締め付けなくても、ワイヤーハーネスを確実に固定することのできるワイヤーハーネス用クランプを提供する。【解決手段】ワイヤーハーネス２２を締め付けるバンド１２と、このバンドの基端に一体に形成されたバンドロック部１４と、このバンドロック部のワイヤーハーネス側の面と反対側の面に一体に形成されたアンカー部１６とを有するワイヤーハーネス用クランプにおいて、前記バンドロック部１４の側面にワイヤーハーネス２２に沿って伸び出すようにテープ止め部２０を一体に形成する。バンド１２でワイヤーハーネス２２を締め付けると共に、テープ止め部２０にワイヤーハーネス２２と一緒にテープ２４を巻き付けて、ワイヤーハーネス２２を固定する。【選択図】図１
2007166781.tif 000002
【特許請求の範囲】
【請求項１】
ワイヤーハーネスを締め付けるバンドと、このバンドの基端に一体に形成されたバンドロック部と、このバンドロック部のワイヤーハーネス側の面と反対側の面に一体に形成されたアンカー部とを有するワイヤーハーネス用クランプにおいて、前記バンドロック部の側面にワイヤーハーネスに沿って伸び出すようにテープ止め部を一体に形成したことを特徴とするワイヤーハーネス用クランプ。
【請求項２】
前記テープ止め部が、ワイヤーハーネスを屈曲する方向に屈曲成形されていることを特徴とする請求項１記載のワイヤーハーネス用クランプ。
【発明の詳細な説明】
【技術分野】
【０００１】
本発明は、ワイヤーハーネスを自動車のボディ等に取り付けるのに使用するワイヤーハーネス用クランプに関するものである。
【背景技術】
【０００２】
ワイヤーハーネスを自動車内に配索する際に、ワイヤーハーネスの所要箇所を自動車のボディやパネル等に取り付けるときは通常、種々のワイヤーハーネス用クランプが用いられる。これらのワイヤーハーネス用クランプのうちバンドタイプと呼ばれるものは、ワイヤーハーネスを締め付けるバンドと、このバンドの基端に一体に形成されたバンドロック部と、このバンドロック部のワイヤーハーネス側の面と反対側の面に一体に形成されたアンカー部とを有している（特許文献１）。
【０００３】
このワイヤーハーネス用クランプでワイヤーハーネスをボディ等に取り付けるときは、ワイヤーハーネスを配索する前に、バンドをワイヤーハーネスの所要箇所に巻き付け、バンドの先端部をバンドロック部に挿通してワイヤーハーネスを締め付けることにより、クランプをワイヤーハーネスに固定しておく。この状態でワイヤーハーネスを配索し、ボディ等に形成された穴にアンカー部を挿入すれば、ワイヤーハーネスをボディ等に取り付けることができる。
【０００４】
【特許文献１】特開平８−３２２１２９号公報
【発明の開示】
【発明が解決しようとする課題】
【０００５】
しかし、従来のワイヤーハーネス用クランプは、バンドによりワイヤーハーネスを締付け固定する方式であるので、バンドがワイヤーハーネス径に適合しない場合には、ワイヤーハーネスを確実に締付け固定することができず、ワイヤーハーネスがずれるおそれがある。またバンドがワイヤーハーネス径に適合している場合でも、しっかり固定するために締付け力を強くしすぎて、ワイヤーハーネスの外装を潰してしまうことがある。
【０００６】
本発明の目的は、バンドがワイヤーハーネス径に適合しない場合でも、またワイヤーハーネスを強く締め付けなくても、ワイヤーハーネスを確実に固定することのできるワイヤーハーネス用クランプを提供することにある。
【課題を解決するための手段】
【０００７】
この目的を達成するため本発明は、ワイヤーハーネスを締め付けるバンドと、このバンドの基端に一体に形成されたバンドロック部と、このバンドロック部のワイヤーハーネス側の面と反対側の面に一体に形成されたアンカー部とを有するワイヤーハーネス用クランプにおいて、前記バンドロック部の側面にワイヤーハーネスに沿って伸び出すようにテープ止め部を一体に形成したことを特徴とするものである。
【０００８】
本発明において、前記テープ止め部は、ワイヤーハーネスを屈曲する方向に屈曲成形されていてもよい。
【発明の効果】
【０００９】
本発明に係るワイヤーハーネス用クランプは、バンドでワイヤーハーネスを締め付けると共に、ワイヤーハーネスに沿って伸び出しているテープ止め部にワイヤーハーネスと一緒にテープを巻き付けて、ワイヤーハーネスを固定するものである。このようにすれば、バンドによる締付けとテープ巻きによる固定の２方式でワイヤーハーネスを固定することができるので、バンドがワイヤーハーネス径に適合せずバンドによる締付けが不十分な場合でもテープ巻きでワイヤーハーネスの固定を確実なものとすることができる。またバンドを強く締め付ける必要がないので、バンドの締めすぎでワイヤーハーネスの外装を潰してしまうようなことがなくなる。
【００１０】
また、テープ止め部を屈曲成形しておけば、バンドによる締付けとテープ巻きによる固定で、ワイヤーハーネスを所定の方向に屈曲した状態に保持することができるので、ワイヤーハーネスを所定の経路に沿って正確に配索することができる。
【発明を実施するための最良の形態】
【００１１】
〔実施形態１〕図１（Ａ）は本発明の一実施形態を示す。このワイヤーハーネス用クランプ１０は、ワイヤーハーネスを締め付けるバンド１２と、このバンド１２の基端に一体に形成されたバンドロック部１４と、このバンドロック部１４のワイヤーハーネス側の面と反対側の面に一体に形成されたアンカー部１６とを有している。
【００１２】
アンカー部１６は、バンドロック部１４から突出する軸部１６ａと、その軸部１６ａの先端から軸部の両側に広がりながらバンドロック部１４側へ折り返すように形成された弾性係止片１６ｂとを有している。このアンカー部１６を自動車のボディ等に形成された穴に挿入すると、弾性係止片１６ｂの先端部が穴の裏側の縁に引っ掛かり、クランプ１０は引き抜けなくなる。
【００１３】
このワイヤーハーネス用クランプ１０には、軸部１６ａの基部から両側に広がるように弾性押さえ片１８が形成されている。この弾性押さえ片１８は、弾性係止片１６ｂの先端部が穴の裏側の縁に引っ掛かったときに、穴の表側に周囲に押し当てられて、クランプ１０の取付け状態を安定化させるものである。弾性押さえ片１８は必要に応じ設けられるもので、省略される場合もある。
【００１４】
以上の構成は従来のワイヤーハーネス用クランプと同じである。このワイヤーハーネス用クランプ１０の特徴は、バンドロック部１４の側面にワイヤーハーネスに沿って伸び出すように平板状のテープ止め部２０を一体に形成した点にある。
【００１５】
以上のように構成されたワイヤーハーネス用クランプ１０は図１（Ｂ）のように使用される。まず、バンド１２をワイヤーハーネス２２に巻き付け、バンド１２の先端部をバンドロック部１４に挿入して、バンド１２でワイヤーハーネス２２を締め付ける。なお、バンドロック部１４内には係止爪が形成され、バンド１２にはその係止爪に引っ掛かるギザギザ（又は多数のスリット等）が形成されているが、いずれも図示を省略してある。バンド１２でワイヤーハーネス２２を締め付けると、テープ止め部２０がワイヤーハーネス２２に沿うようになるので、このテープ止め部２０にワイヤーハーネス２２を含めてテープ（粘着テープ）２４を巻き付ける。この状態で、アンカー部１６をボディ等に形成された穴に挿入して、クランプ１０をボディ等に固定する。
【００１６】
このようにすれば、バンド１２とテープ２４により２箇所でワイヤーハーネス２２を固定することができるので、バンド１２の締付けが多少ゆるくても、またバンド１２を無理に締め付けなくても、ワイヤーハーネス２２をしっかりと固定することができる。
【００１７】
〔実施形態２〕図２（Ａ）は本発明の他の実施形態を示す。このワイヤーハーネス用クランプ１０が、図１（Ａ）に示したワイヤーハーネス用クランプ１０と異なる点は、バンドロック部１４から側方に伸び出した板状のテープ止め部２０が、途中から同一平面内でバンドロック部１４のバンド出口側へ折れ曲がるように形成されていることである。それ以外の構成は図１（Ａ）に示したワイヤーハーネス用クランプ１０と同じであるので、同一部分には同一符号を付して説明を省略する。
【００１８】
このようなワイヤーハーネス用クランプ１０を使用すれば、図２（Ｂ）に示すように、ワイヤーハーネス２２をバンド１２とテープ２４で固定することにより、ワイヤーハーネス２２をテープ止め部２０に沿って屈曲した状態に保持することができる。
【００１９】
〔実施形態３〕図３（Ａ）は本発明のさらに他の実施形態を示す。このワイヤーハーネス用クランプ１０が、図１（Ａ）に示したワイヤーハーネス用クランプ１０と異なる点は、バンドロック部１４から側方に伸び出した板状のテープ止め部２０が、途中から同一平面内でバンドロック部１４のバンド入口側へ折れ曲がるように形成されていることである。それ以外の構成は図１（Ａ）に示したワイヤーハーネス用クランプ１０と同じであるので、同一部分には同一符号を付して説明を省略する。
【００２０】
このようなワイヤーハーネス用クランプ１０を使用すれば、図３（Ｂ）に示すように、ワイヤーハーネス２２をバンド１２とテープ２４で固定することにより、ワイヤーハーネス２２をテープ止め部２０に沿って図２（Ｂ）とは反対側に屈曲した状態に保持することができる。
【００２１】
〔実施形態４〕図４（Ａ）は本発明のさらに他の実施形態を示す。このワイヤーハーネス用クランプ１０が、図１（Ａ）に示したワイヤーハーネス用クランプ１０と異なる点は、バンドロック部１４から側方に伸び出す板状のテープ止め部２０が、その付け根から斜め下方（アンカー部１６と反対側）へ折れ曲がるように形成されていることである。それ以外の構成は図１（Ａ）に示したワイヤーハーネス用クランプ１０と同じであるので、同一部分には同一符号を付して説明を省略する。
【００２２】
このようなワイヤーハーネス用クランプ１０を使用すれば、図４（Ｂ）に示すように、ワイヤーハーネス２２をバンド１２とテープ２４で固定することにより、ワイヤーハーネス２２をテープ止め部２０に沿って斜め下方に屈曲した状態に保持することができる。
【００２３】
〔実施形態５〕図５（Ａ）は本発明のさらに他の実施形態を示す。このワイヤーハーネス用クランプ１０が、図１（Ａ）に示したワイヤーハーネス用クランプ１０と異なる点は、バンドロック部１４から側方に伸び出す板状のテープ止め部２０が、その付け根から斜め上方（アンカー部１６側）へ折れ曲がるように形成されていることである。それ以外の構成は図１（Ａ）に示したワイヤーハーネス用クランプ１０と同じであるので、同一部分には同一符号を付して説明を省略する。
【００２４】
このようなワイヤーハーネス用クランプ１０を使用すれば、図５（Ｂ）に示すように、ワイヤーハーネス２２をバンド１２とテープ２４で固定することにより、ワイヤーハーネス２２をテープ止め部２０に沿って斜め上方に屈曲した状態に保持することができる。
【００２５】
〔実施形態６〕図６は本発明のさらに他の実施形態を使用状態で示す。このワイヤーハーネス用クランプ１０が、図１（Ａ）に示したワイヤーハーネス用クランプ１０と異なる点は、バンドロック部１４から側方に伸び出した板状のテープ止め部２０が、途中からアンカー部１６と反対側へ折れ曲がるように形成されていることである。それ以外の構成は図１（Ａ）に示したワイヤーハーネス用クランプ１０と同じであるので、同一部分には同一符号を付して説明を省略する。
【００２６】
このようなワイヤーハーネス用クランプ１０を使用すれば、ワイヤーハーネス２２をバンド１２とテープ２４で固定することにより、ワイヤーハーネス２２をテープ止め部２０に沿ってアンカー部１６と反対側に屈曲した状態に保持することができる。
【００２７】
〔実施形態７〕図７は本発明のさらに他の実施形態を使用状態で示す。このワイヤーハーネス用クランプ１０が、図１（Ａ）に示したワイヤーハーネス用クランプ１０と異なる点は、バンドロック部１４から側方に伸び出した板状のテープ止め部２０が、途中からアンカー部１６側へ折れ曲がるように形成されていることである。それ以外の構成は図１（Ａ）に示したワイヤーハーネス用クランプ１０と同じであるので、同一部分には同一符号を付して説明を省略する。
【００２８】
このようなワイヤーハーネス用クランプ１０を使用すれば、ワイヤーハーネス２２をバンド１２とテープ２４で固定することにより、ワイヤーハーネス２２をテープ止め部２０に沿ってアンカー部１６側に屈曲した状態に保持することができる。
【図面の簡単な説明】
【００２９】
【図１】（Ａ）は本発明に係るワイヤーハーネス用クランプの一実施形態を示す斜視図、（Ｂ）は同クランプの使用状態を示す斜視図。
【図２】（Ａ）は本発明の他の実施形態を示す斜視図、（Ｂ）はその使用状態を示す斜視図。
【図３】（Ａ）は本発明のさらに他の実施形態を示す斜視図、（Ｂ）はその使用状態を示す斜視図。
【図４】（Ａ）は本発明のさらに他の実施形態を示す斜視図、（Ｂ）はその使用状態を示す斜視図。
【図５】（Ａ）は本発明のさらに他の実施形態を示す斜視図、（Ｂ）はその使用状態を示す斜視図。
【図６】本発明のさらに他の実施形態を使用状態で示す斜視図。
【図７】本発明のさらに他の実施形態を使用状態で示す斜視図。
【符号の説明】
【００３０】
１０：ワイヤーハーネス用クランプ
１２：バンド
１４：バンドロック部
１６：アンカー部
１８：弾性押さえ部
２０：テープ止め部
２２：ワイヤーハーネス
２４：テープ
【図１】
2007166781.tif 000003
【図２】
2007166781.tif 000004
【図３】
2007166781.tif 000005
【図４】
2007166781.tif 000006
【図５】
2007166781.tif 000007
【図６】
2007166781.tif 000008
【図７】
2007166781.tif 000009